(57)【特許請求の範囲】
【請求項１】
電子機器であって、
筐体と、
前記筐体内に設けられたアンテナ素子と、
前記筐体内に設けられた電子部品と、
前記筐体内に設けられたバッテリーと、
前記バッテリーにおける前記アンテナ素子と前記電子部品との間に介在するバッテリー側壁の少なくとも一部に設けられた第１シールド膜と、
前記バッテリーにおけるバッテリー天面およびバッテリー底面の少なくとも一方で、前記第１シールド膜に沿って設けられ、該第１シールド膜と導通する第１シールドクッションと、
を備え、
前記第１シールド膜および前記第１シールドクッションは電磁遮蔽材で構成され、
前記第１シールドクッションは前記バッテリーと前記筐体とによって弾性的に圧縮されて挟持されていることを特徴とする電子機器。
【請求項２】
請求項１に記載の電子機器において、
前記第１シールドクッションは、前記バッテリーの縁を形成するフレームに合わせて設けられていることを特徴とする電子機器。
【請求項３】
請求項１または２に記載の電子機器において、
前記筐体は、
キーボードが設けられ電波遮蔽部を含む筐体天板と、
前記筐体天板と対向して設けられ電波遮蔽部を含む筐体底板と、
を備え、
前記第１シールド膜は前記バッテリー側壁から前記バッテリー天面および前記バッテリー底面の一部まで延在し、
前記筐体天板と前記筐体底板とは、前記第１シールドクッションおよび前記第１シールド膜を介して導通していることを特徴とする電子機器。
【請求項４】
請求項３に記載の電子機器において、
前記第１シールドクッションは前記バッテリーにおける前記バッテリー天面と前記筐体天板との間にのみ設けられていることを特徴とする電子機器。
【請求項５】
請求項３または４に記載の電子機器において、
前記筐体内に設けられたスピーカーボックスと、
前記スピーカーボックスにおける前記アンテナ素子と前記電子部品との間に介在するボックス側壁の少なくとも一部に設けられた第２シールド膜と、
前記スピーカーボックスにおけるボックス底面の少なくとも一方で、前記第２シールド膜に沿って設けられ、該第２シールド膜と導通する第２シールドクッションと、
を備え、
前記第２シールド膜および前記第２シールドクッションは電磁遮蔽材で構成され、
前記第２シールドクッションは前記ボックス底面と前記筐体底板とによって弾性的に圧縮されて挟持され、
前記第２シールドクッションは前記ボックス底面と前記筐体底板との間にのみ設けられていることを特徴とする電子機器。
【請求項６】
請求項１〜５のいずれか１項に記載の電子機器において、
前記第１シールド膜および前記第１シールドクッションは、前記バッテリーにおける四方の前記バッテリー側壁のうち、少なくとも前記アンテナ素子に最も近い前記バッテリー側壁に設けられていることを特徴とする電子機器。
【請求項７】
請求項１〜６のいずれか１項に記載の電子機器において、
前記第１シールド膜および前記第１シールドクッションは、前記バッテリーにおける四方の前記バッテリー側壁のうち、前記電子部品に最も近い前記バッテリー側壁を除く箇所に設けられていることを特徴とする電子機器。
【請求項８】
請求項１〜７のいずれか１項に記載の電子機器において、
前記筐体における前記アンテナ素子の周囲は電波透過性材料で構成されていることを特徴とする電子機器。
【発明の詳細な説明】
【技術分野】
【０００１】
本発明は、アンテナを備えた電子機器に関する。
【背景技術】
【０００２】
ノートブック型パーソナルコンピュータ（ノート型ＰＣ）のような電子機器は、ＷＷＡＮ（Ｗｉｒｅｌｅｓｓ  Ｗｉｄｅ  Ａｒｅａ  Ｎｅｔｗｏｒｋ）やＷＬＡＮ（Ｗｉｒｅｌｅｓｓ  Ｌｏｃａｌ  Ａｒｅａ  Ｎｅｔｗｏｒｋ）等の各種無線通信のアンテナを搭載している（例えば特許文献１参照）。さらに、このような電子機器は、音楽や音声等の出力用のスピーカーを搭載している（例えば特許文献２参照）。スピーカーはスピーカーボックスに設けられることがある。さらにまた、このような電子機器は電源としてバッテリーを備えていることがある。
【０００３】
ノート型ＰＣは、マザーボードおよびキーボードなどを備えた本体筐体と、該本体筐体に対してヒンジにより開閉可能なディスプレイ筐体とを有する。このような電子機器の筐体は、その小型化および薄型化が進んでおり、特にノート型ＰＣの場合、いわゆる大画面化・ナローベゼル化によって枠体が細くなりつつある。従ってアンテナやスピーカーをディスプレイ筐体に設けることが困難になっており、これらを本体筐体に設けることがある。
【０００４】
スピーカーボックスは、高質な音響出力のためにはある程度大きい容量が必要とされている。スピーカーボックスはステレオ音声の出力のために本体筐体の左右両端に設けられることがある。
【０００５】
アンテナは電波の送受信性能を考慮すると筐体の端部に設けることが望ましい。アンテナの構成要素のうちアンテナ素子は筐体と一体化すると送受信性能が向上するとともにスペース効率がよい。このような背景からアンテナ素子とスピーカーボックスとは近い位置に配置される場合がある。また、電子機器の可動時間を長く確保するためにバッテリーの容積は大型化しつつある。
【先行技術文献】
【特許文献】
【０００６】
【特許文献１】特開２０１３−１６２４１３号公報
【特許文献２】特開２０１４−１３９７０号公報
【発明の概要】
【発明が解決しようとする課題】
【０００７】
一方、アンテナを本体筐体に設ける場合には、ＣＰＵなどの電磁ノイズ源から遮蔽するためのシールド手段を設けることが望ましい。しかしながら、アンテナの周辺には大型化されつつあるスピーカーボックスやバッテリーが配置されることがあり、シールド手段としての専用のシールド壁を設けることはスペース上の観点から好ましくない。
【０００８】
本発明は上記の課題を考慮してなされたものであり、スペース効率がよく、しかもアンテナに対する電磁ノイズの影響を抑制することのできる電子機器を提供することを目的とする。
【課題を解決するための手段】
【０００９】
上述した課題を解決し、目的を達成するために、本発明の態様に係る電子機器は、電子機器であって、筐体と、前記筐体内に設けられたアンテナ素子と、前記筐体内に設けられた電子部品と、前記筐体内に設けられたバッテリーと、前記バッテリーにおける前記アンテナ素子と前記電子部品との間に介在するバッテリー側壁の少なくとも一部に設けられた第１シールド膜と、前記バッテリーにおけるバッテリー天面およびバッテリー底面の少なくとも一方で、前記第１シールド膜に沿って設けられ、該第１シールド膜と導通する第１シールドクッションと、を備え、前記第１シールド膜および前記第１シールドクッションは電磁遮蔽材で構成され、前記第１シールドクッションは前記バッテリーと前記筐体とによって弾性的に圧縮されて挟持されている。
【００１０】
このように携帯用情報機器では、アンテナ素子と電子部品との間に介在するバッテリー側壁の少なくとも一部に第１シールド膜を設け、さらにバッテリーに天面およびバッテリー底面の少なくとも一方で、第１シールド膜に沿って第１シールドクッションを備えている。このような第１シールド膜、第１シールドクッションにより第１シールド構造体が形成され、アンテナに対する電磁ノイズの影響を抑制することができる。また、この第１シールド構造体は専用の遮蔽壁を設けることなく、バッテリーの一部を利用して形成されていることからスペース効率がよい。
【００１１】
前記第１シールドクッションは、前記バッテリーの縁を形成するフレームに合わせて設けられていてもよい。フレームは強度部材であり第１シールドクッションを支持させるのに好適である。
【００１２】
前記筐体は、キーボードが設けられ電波遮蔽部を含む筐体天板と、前記筐体天板と対向して設けられ電波遮蔽部を含む筐体底板と、を備え、前記第１シールド膜は前記バッテリー側壁から前記バッテリー天面および前記バッテリー底面の一部まで延在し、前記筐体天板と前記筐体底板とは、前記第１シールドクッションおよび前記第１シールド膜を介して導通していてもよい。これにより、筐体天板の電波遮蔽部と筐体底板の電波遮蔽部との間が一体的にシールド構造体を形成してシールド効果が高まる。
【００１３】
前記第１シールドクッションは前記バッテリーにおける前記バッテリー天面と前記筐体天板との間にのみ設けられていてもよい。バッテリー底面と筐体底板との間では第１シールドクッションを省略することにより部品点数を削減することができる。
【００１４】
前記筐体内に設けられたスピーカーボックスと、前記スピーカーボックスにおける前記アンテナ素子と前記電子部品との間に介在するボックス側壁の少なくとも一部に設けられた第２シールド膜と、前記スピーカーボックスにおけるボックス底面の少なくとも一方で、前記第２シールド膜に沿って設けられ、該第２シールド膜と導通する第２シールドクッションと、を備え、前記第２シールド膜および前記第２シールドクッションは電磁遮蔽材で構成され、前記第２シールドクッションは前記ボックス底面と前記筐体底板とによって弾性的に圧縮されて挟持され、前記第２シールドクッションは前記ボックス底面と前記筐体底板との間にのみ設けられていてもよい。このような第２シールド膜、第２シールドクッションにより第２シールド構造体が形成され、アンテナに対する電磁ノイズの影響を一層抑制することができる。また、この第２シールド構造体は専用の遮蔽壁を設けることなく、スピーカーボックスの一部を利用して形成されていることからスペース効率がよい。
【００１５】
前記第１シールド膜および前記第１シールドクッションは、前記バッテリーにおける四方の前記バッテリー側壁のうち、少なくとも前記アンテナ素子に最も近い前記バッテリー側壁に設けられていると、シールド効果が高い。
【００１６】
前記第１シールド膜および前記第１シールドクッションは、前記バッテリーにおける四方の前記バッテリー側壁のうち、前記電子部品に最も近い前記バッテリー側壁を除く箇所に設けられていると、部品点数を削減できる。
【００１７】
前記筐体における前記アンテナ素子の周囲は電波透過性材料で構成されていてもよい。
【発明の効果】
【００１８】
本発明の上記態様によれば、第１シールド膜、第１シールドクッションによりシールド構造体が形成され、アンテナに対する電磁ノイズの影響を抑制することができる。また、このシールド構造体は専用の遮蔽壁を設けることなく、バッテリーの一部を利用して形成されていることからスペース効率がよい。
【図面の簡単な説明】
【００１９】
【図１】図１は、実施の形態にかかる電子機器としての携帯用情報機器を示す図である。
【図２】図２は、本体筐体の内部構造を模式的に示す底面図である。
【図３】図３は、バッテリーを斜め上方から見た一部分解斜視図である。
【図４】図４は、図１におけるＩＶ〜ＩＶ線視による断面図である。
【図５】図５は、変形例にかかる電子機器としての携帯用情報機器の断面図である。
【発明を実施するための形態】
【００２０】
以下に、本発明にかかる電子機器の実施形態を図面に基づいて詳細に説明する。なお、この実施形態によりこの発明が限定されるものではない。
【００２１】
図１は、本発明の一実施形態に係る電子機器としての携帯用情報機器１０の平面図である。本実施形態では、携帯用情報機器１０としてノート型ＰＣを例示する。携帯用情報機器１０は、例えばデスクトップ型ＰＣやタブレット型ＰＣ等でもよい。携帯用情報機器１０は、ディスプレイが折り畳み可能な、いわゆるフォルダブル型であってもよい。
【００２２】
図１に示すように、携帯用情報機器１０は、キーボード１２およびタッチパッド１３を有する本体筐体（筐体）１４と、ディスプレイ装置１６を有するディスプレイ筐体１８とを備える。キーボード１２は、本体筐体１４の上面において略中央から後端部にかけて広がっている。キーボード１２の横幅は本体筐体１４のほぼ全幅にわたっている。タッチパッド１３は本体筐体１４の上面において前寄りに設けられている。ディスプレイ筐体１８は、本体筐体１４の後端部に対して左右一対のヒンジ２０，２０を介して回動可能に連結されている。ディスプレイ筐体１８は薄型でありその枠体は細い。ディスプレイ装置１６は、例えば液晶ディスプレイまたは有機ＥＬディスプレイである。
【００２３】
図１は、ヒンジ２０によってディスプレイ筐体１８を本体筐体１４から開いて使用形態とした携帯用情報機器１０を上から見下ろした図である。以下、図１に示す使用形態とされた携帯用情報機器１０のディスプレイ装置１６を正面から視認する方向を基準とし、本体筐体１４について手前側を前、奥側を後、キーボード１２を備えている側を上方、その反対側を下方、幅方向を左右と呼んで説明する。また、本体筐体１４やこれに搭載される各部品について、本体筐体１４を平面的に見た状態で、外周側よりも中央側を内側、中央側よりも外周側を外側と呼んで説明する。なお、これらの方向は説明の便宜上のものである。従って、製品での各部品の配置や設置姿勢等により、例えば上記の上下方向や左右方向が反転することもある。
【００２４】
本体筐体１４は、上カバー（筐体天板）２２と、下カバー（筐体底板）２４とで形成された薄い箱状の筐体である。上カバー２２は前壁２２ａ、側壁２２ｂ，２２ｃおよび後壁２２ｄを備える薄皿形である。ヒンジ２０は、後壁２２ｄに沿って配置されている。本体筐体１４は、上カバー２２の下方開口部をプレート状の下カバー２４が覆うことによって箱体を形成している。本体筐体１４は扁平形状で、平面視で略矩形である。
【００２５】
図２は、本体筐体１４の内部構造を模式的に示す底面図であり、下カバー２４を取り外して本体筐体１４内を上カバー２２の内面側から見た図である。
【００２６】
図２に示すように、本体筐体１４の内部には、電子回路基板２６と、ファン２５と、バッテリー２８と、左右一対のスピーカー３０Ｌ，３０Ｒと、左右一対のアンテナ３２Ｌ，３２Ｒとが収納されている。スピーカー３０Ｌ，３０Ｒはステレオ音声の再生が可能である。以下、スピーカー３０Ｌ，３０Ｒを代表的にスピーカー３０とも呼び、アンテナ３２Ｌ，３２Ｒを代表的にアンテナ３２とも呼ぶ。
【００２７】
電子回路基板２６は、携帯用情報機器１０のマザーボードである。電子回路基板２６は、例えばＣＰＵ２７ａ、電源回路２７ｂ、メモリ２７ｃ等の電子部品２７が実装されたＰＣＢ（プリント基板）である。電子部品２７は電子回路基板２６の片面に実装されていてもよいし、両面に実装されていてもよい。これらの電子部品２７は電磁ノイズの発生源となり得る。本体筐体１４の内部には、さらに、図示しない冷却モジュール、ＳＳＤ（Ｓｏｌｉｄ  Ｓｔａｔｅ  Ｄｒｉｖｅ），ハードディスク装置等が収納されている。これらの装置も電子部品を含んでおり、電磁ノイズの発生源となり得る。電子回路基板２６は本体筐体１４における後寄りに設けられている。
【００２８】
スピーカー３０はスピーカーボックス３６と、スピーカーユニット３８とを有する。アンテナ３２はアンテナ素子４０とアンテナ回路４２（図４参照）とを有する。スピーカーボックス３６は本体筐体１４に対してフローティング状態となるように接続されている。
【００２９】
アンテナ素子４０は本体筐体１４の縁に設けられている。具体的には、アンテナ素子４０は、側壁２２ｂ，２２ｃと前壁２２ａとによって形成される角部４５Ｌ，４５Ｒに沿って設けられており、側壁２２ｂ，２２ｃと前壁２２ａとに沿った略Ｌ字形状となっている。スピーカーボックス３６はアンテナ素子４０よりも内側に設けられており、該アンテナ素子４０に沿った略Ｌ字形状となっている。すなわち、スピーカーボックス３６は、アンテナ素子４０と電子部品２７との間に設けられており、電子部品２７の位置から見て該電子部品２７を覆っている。スピーカーボックス３６は、前壁２２ａに沿ってアンテナ素子４０よりも内側に延在しており、該延在している部分にスピーカーユニット３８が設けられている。スピーカーボックス３６は略Ｌ字形状であることから大きな空洞部が形成され、高質な低音再生が可能である。
【００３０】
スピーカー３０Ｌとスピーカー３０Ｒとは適度に離れておりステレオ音声の再生に適する。アンテナ３２Ｌとアンテナ３２Ｒとは適度に離れており相互干渉が少ない。スピーカー３０Ｌとスピーカー３０Ｒ、およびアンテナ３２Ｌとアンテナ３２Ｒとは基本的に左右対称構造であるがレイアウト上の理由などによっては一部が異なっていてもよい。アンテナ３２は、例えばＷＷＡＮやＷＬＡＮの仕様であり、第５世代移動通信システム「５Ｇ」にも適応可能である。
【００３１】
スピーカーボックス３６の底面（ボックス底面）３６ａには第２シールドクッション４４が設けられている。第２シールドクッション４４は、スピーカーボックス３６のＬ字形状の全長にわたってＬ字を形成している。第２シールドクッション４４は、電磁波ノイズをシールド可能であって、且つ柔軟性を有する材料、例えば導電性クッション状部材で形成されている。導電性クッション状部材としては、例えば、銅に錫めっきを施した材料で形成したスポンジや、ポリエチレン等の樹脂にカーボンを練り込んだスポンジ等が挙げられる。
【００３２】
スピーカーボックス３６における電子回路基板２６の電子部品２７と対向する側面の全面には第２シールド膜４６が形成されている。具体的には、第２シールド膜４６は、スピーカーボックス３６のＬ字の内側面（ボックス側壁）３６ｂ、内寄りの第１端面（ボックス側壁）３６ｃおよび後ろ側の第２端面（ボックス側壁）３６ｄとに施されている。第２シールド膜４６は、電磁波ノイズをシールド可能な材料、例えば導電性を持った金属板、導電性塗料、またはメッキ層として形成されている。第２シールドクッション４４と第２シールド膜４６とは接触し導通している。
【００３３】
第２シールド膜４６は、例えばＬＤＳ（Ｌａｓｅｒ  Ｄｉｒｅｃｔ  Ｓｔｒｕｃｔｕｒｉｎｇ）メッキで形成されている。すなわち、スピーカーボックス３６は金属触媒が含有されたＬＤＳ材で射出成形し作製され、必要な箇所にレーザ照射をすることにより活性化させ、さらに所定の金属をメタライズすることにより第２シールド膜４６が形成される。このような手法によれば小さくかつ複雑な形状の部品に対して、所望の箇所だけに第２シールド膜４６を形成することができる。第２シールド膜４６は後述する第１シールド膜５４のように金属箔を用いてもよい。
【００３４】
図３は、バッテリー２８を斜め上方から見た一部分解斜視図である。バッテリー２８は携帯用情報機器１０の電源である。バッテリー２８は充放電が可能な二次電池であり、例えばリチウムイオン式やニッケル水素式である。バッテリー２８は本体筐体１４に収納可能な板型である。
【００３５】
図２および図３に示すように、バッテリー２８は、本体であるセル５０と、縁を形成するフレーム５２とを有する。セル５０は複数の集合体であってもよい。セル５０が複数室から構成されている場合には、フレーム５２は個々のセル５０の境部に設けられていてもよい。フレーム５２はバッテリー２８の四方の縁を形成しており、前フレーム５２ａ、左フレーム５２ｂ、右フレーム５２ｃおよび後フレーム５２ｄを有する。
【００３６】
バッテリー２８は本体筐体１４における中央から前端近傍にかけて広がっている。バッテリー２８の後フレーム５２ｄは平面視でキーボード１２と重なる位置に配置されている。バッテリー２８の前フレーム５２ａは、一対のスピーカーボックス３６における幅方向延在部の端面３６ｂａにほぼ接している。バッテリー２８の左フレーム５２ｂおよび右フレーム５２ｃは、左右のスピーカーボックス３６の前後方向延在部の端面３６ｂｂにほぼ接している。このように、バッテリー２８は本体筐体１４の内部でデッドスペースがほとんどなくなるように大きな面積を占めており、大きい充電容量が確保されている。
【００３７】
前フレーム５２ａおよび左フレーム５２ｂは、スピーカー３０Ｌよりも内側に設けられており、該スピーカー３０Ｌに沿ったＬ字を形成している。前フレーム５２ａおよび右フレーム５２ｃは、スピーカー３０Ｒよりも内側に設けられており、該スピーカー３０Ｒ沿ったＬ字を形成している。すなわち、バッテリー２８のフレーム５２ａ〜５２ｃは、アンテナ素子４０およびスピーカー３０と電子部品２７との間に設けられており、電子部品２７の位置から見て該電子部品２７を覆っている。また換言すれば、バッテリー２８はアンテナ素子４０と電子部品２７との間に設けられている。
【００３８】
図３に示すように、バッテリー２８は四方の側壁、すなわち前壁（バッテリー側壁）２８ａ、左壁（バッテリー側壁）２８ｂ、右壁（バッテリー側壁）２８ｃおよび後壁（バッテリー側壁）２８ｄを有する。これらの側壁２８ａ〜２８ｄはアンテナ素子４０と電子部品２７との間に介在している。また、バッテリー２８は天面（バッテリー天面）２８ｅおよび底面（バッテリー底面）２８ｆを有する。
【００３９】
側壁２８ａ〜２８ｄの少なくとも一部には第１シールド膜５４が設けられる。本実施形態にかかる携帯用情報機器１０では、第１シールド膜５４は前壁２８ａに設けられる前壁シールド膜５４ａと、左壁２８ｂに設けられる左壁シールド膜５４ｂと、右壁２８ｃに設けられる右壁シールド膜５４ｃとを有し、後壁２８ｄには設けられていない。第１シールド膜５４は側壁から天面２８ｅの一部および底面２８ｆの一部まで延在している。
【００４０】
第１シールド膜５４は電磁遮蔽材であり、例えば銅箔やアルミニウム箔であり、バッテリー２８に張り付けられている。第１シールド膜５４は、上記の第２シールド膜４６のようにＬＤＳメッキとしてもよい。前壁シールド膜５４ａ、左壁シールド膜５４ｂおよび右壁シールド膜５４ｃは一体でもよいし、別体のものをバッテリー２８に張り付けて互いに接続させ導通させてもよい。第１シールド膜５４は、バッテリー２８の取付座５７の部分は露呈させてもよいし、取付座５７を覆ってもよい。前壁シールド膜５４ａは前フレーム５２ａを覆い、左壁シールド膜５４ｂは左フレーム５２ｂを覆い、右壁シールド膜５４ｃは右フレーム５２ｃを覆っている。
【００４１】
バッテリー２８における天面２８ｅおよび底面２８ｆの少なくとも一方で、第１シールド膜５４に沿って第１シールドクッション５６が設けられる。本実施形態にかかる携帯用情報機器１０では、第１シールドクッション５６は天面２８ｅにのみ設けられており、底面２８ｆには設けられていない。
【００４２】
第１シールドクッション５６は電磁遮蔽材で構成され、例えば上記の第２シールドクッション４４と同じ材質である。第１シールド膜５４がバッテリー２８の天面２８ｅまで延在している部分と第１シールドクッション５６とは、例えば導電性テープで固定されており、両者は導通する。
【００４３】
第１シールドクッション５６は、前フレーム５２ａに合わせて設けられる前クッション５６ａと、左フレーム５２ｂに合わせて設けられる左クッション５６ｂと、右フレーム５２ｃに合わせて設けられる右クッション５６ｃとを有し、後フレーム５２ｄには設けられていない。前クッション５６ａ、左クッション５６ｂおよび右クッション５６ｃは一体でもよいし、別体のものをバッテリー２８に張り付けて互いに接続させ導通させてもよい。フレーム５２は強度部材であり第１シールドクッション５６を支持させるのに好適である。
【００４４】
図４は、図１におけるＩＶ〜ＩＶ線視による断面図である。図４に示すように、上カバー２２はアンテナ素子４０の周囲に設けられた電波透過部５８と、それ以外の電波遮蔽部６０とから構成されている。下カバー２４はアンテナ素子４０の周囲に設けられた電波透過部６２と、それ以外の電波遮蔽部６４とから構成されている。上カバー２２および下カバー２４において電波透過部５８，６２はアンテナ素子４０近傍の限られた部分だけに設けられ、それ以外の部分は電波遮蔽部６０，６４である。
【００４５】
下カバー２４における電波透過部６２と電波遮蔽部６４との相互の接続部６２ａ，６４ａは厚肉構造となっており、接続強度が確保されている。電波遮蔽部６４における接続部６４ａ以外の部分は薄肉構造であり、本体筐体１４が薄型化される。接続部６４ａは他の部分よりも厚肉であることから、内側からみて壁を形成している。
【００４６】
電波遮蔽部６０，６４はマグネシウム等の金属板やカーボン板などの電波遮蔽材で構成されており、携帯用情報機器１０の電気的グランドとなっている。電波透過部５８，６２は樹脂等の電波透過性材料で構成されている。上カバー２２の電波透過部５８と電波遮蔽部６０とは同一平面を形成している。下カバー２４の電波遮蔽部６４は平面状であるが、電波透過部６２は前方に向かって上向きとなる曲面状となっている。スピーカーボックス３６の前方部分下面は、電波透過部６２に沿った局面状となっている。スピーカーボックス３６の後方部分の端面３６ｂａは上下方向に沿った面を形成しており、第２シールド膜４６を設けるのに好適である。電波透過部５８，６２が設けられていることにより、アンテナ素子４０は電波の送受信が容易となる。
【００４７】
アンテナ３２のアンテナ素子４０は本体筐体１４における縁に設けられており、前壁２２ａの一部を兼ねている。アンテナ素子４０は、厳密には上カバー２２と下カバー２４とで形成される空間内にはないが、実質的には本体筐体１４内にある。アンテナ３２のアンテナ回路４２はＦＰＣ（Ｆｌｅｘｉｂｌｅ  ｐｒｉｎｔｅｄ  ｃｉｒｃｕｉｔｓ）であって、アンテナ素子４０とつながっている。アンテナ素子４０の内側には、ほぼ隣接してスピーカー３０のスピーカーボックス３６が配置されている。スピーカーボックス３６の内側には、ほぼ隣接してバッテリー２８が配置されている。つまり、スピーカーボックス３６はアンテナ素子４０とバッテリー２８との間に設けられている。
【００４８】
スピーカーボックス３６は上カバー２２と下カバー２４とで形成される内部空間の大部分を占め、大きい空洞部が確保されている。第２シールドクッション４４はスピーカーボックス３６の底面３６ａと下カバー２４の電波遮蔽部６４とによって弾性的に圧縮されて挟持されている。第２シールドクッション４４の下面は接続部６２ａおよび接続部６４ａに跨って接触している。第２シールド膜４６、第２シールドクッション４４および電波遮蔽部６４を第２シールド構造体６６と呼ぶ。第２シールド構造体６６の構成要素は互いにほぼ隙間なく接触し、且つ導通しており電磁ノイズの遮蔽効果がある。なお、第２シールドクッション４４は、スピーカーボックス３６ではなく下カバー２４に固定されていてもよい。
【００４９】
上記のとおり第２シールドクッション４４はスピーカーボックス３６の下面にのみ設けられており、上面には設けられてなく部品点数削減およびコスト削減が図られている。スピーカーボックス３６はスピーカーユニット３８を備えているため多少の振動が発生する。第２シールドクッション４４は振動吸収作用があるが、スピーカーボックス３６の振動をわずかながら下カバー２４に伝達しうる。しかしながら下カバー２４には特段の振動要素がなく共振などは発生しない。また、下カバー２４には図示しないゴム足が設けられており、携帯用情報機器１０が載置される机面などに振動が伝達されない。一方、上カバー２２にはキーボード１２などの振動要素が存在しているが、スピーカーボックス３６と上カバー２２との間には振動伝達要素がなく、上カバー２２は振動しない。
【００５０】
第１シールドクッション５６はバッテリー２８の天面２８ｅと上カバー２２の電波遮蔽部６０とによって弾性的に圧縮されて挟持されている。第１シールドクッション５６は下面が第１シールド膜５４に接触し、上面が電波遮蔽部６０に接触している。第１シールド膜５４の下端部は下カバー２４の電波遮蔽部６４に接触している。すなわち、上カバー２２の電波遮蔽部６０と下カバー２４の電波遮蔽部６４とは、第１シールドクッション５６および第１シールド膜５４を介して導通している。電波遮蔽部６０、第１シールド膜５４、第１シールドクッション５６および電波遮蔽部６４を第１シールド構造体６８と呼ぶ。第１シールド構造体６８の構成要素は互いにほぼ隙間なく接触し、且つ導通しており電磁ノイズの遮蔽効果がある。上記のとおり第１シールドクッション５６はバッテリー２８の天面２８ｅにのみ設けられており、底面２８ｆには設けられてなく部品点数削減およびコスト削減が図られている。なお、第１シールドクッション５６はバッテリー２８ではなく、上カバー２２に固定されていてもよい。
【００５１】
本体筐体１４の内部で、図４における右方向にはノイズ発生源となる電子部品２７が設けられている。しかしながら、アンテナ素子４０と電子部品２７とは第１シールド構造体６８および第２シールド構造体６６によって電磁的に遮蔽されており、アンテナ３２の電波の送受信に対してノイズの影響を低減することができる。
【００５２】
第１シールド構造体６８と第２シールド構造体６６とは近接しており相乗的効果が得られる。ただし、設計条件によっては第１シールド構造体６８および第２シールド構造体６６のいずれか一方を省略しても相応の効果は得られる。第２シールド構造体６６では、スピーカーボックス３６と上カバー２２との間に僅かな隙間が生じうるが、その箇所のすぐ内側には第１シールド構造体６８の比較的厚い第１シールドクッション５６が設けられていることから、電磁ノイズが上カバー２２の近傍に沿って漏出することが防止される。
【００５３】
バッテリー２８の底面２８ｆには第１シールドクッション５６が設けられていない。したがって、下カバー２４の形状精度によっては第１シールド膜５４と電波遮蔽部６４との間に僅かながら隙間が生じうるが、その箇所のすぐ外側には接続部６４ａによって壁が形成されており、しかも該接続部６４ａの上面には比較的厚い第２シールドクッション４４が設けられていることから、電磁ノイズが下カバー２４の近傍に沿って漏出することが防止される。
【００５４】
携帯用情報機器１０では、第１シールド膜５４および第１シールドクッション５６は、バッテリー２８における四方の側壁のうちアンテナ素子４０に最も近い側壁に設けられている。すなわち、アンテナ３２Ｌ（図２参照）については、アンテナ素子４０は角部４５Ｌに沿ったＬ字形状であることから最も近い側壁である前壁２８ａおよび左壁２８ｂに第１シールド膜５４および第１シールドクッション５６が設けられている。また、右側のアンテナ３２Ｒ（図２参照）については、アンテナ素子４０は角部４５Ｒに沿ったＬ字形状であることから最も近い側壁は前壁２８ａおよび右壁２８ｃに第１シールド膜５４および第１シールドクッション５６が設けられている。仮に、アンテナ素子が前壁２２ａの中央附近に設けられている場合には、第１シールド膜５４および第１シールドクッション５６は、少なくとも該アンテナ素子に最も近い前壁２８ａに設けるとよい。このように、バッテリー２８の四方の側壁のうちアンテナ素子４０に最も近い最も近い箇所に第１シールド膜５４および第１シールドクッション５６を設けると電磁ノイズの遮蔽効果が高い。
【００５５】
携帯用情報機器１０では、第１シールド膜５４および第１シールドクッション５６は、バッテリー２８における四方の側壁のうち、ノイズ発生源である電子部品２７に最も近い側壁を除く箇所に設けられている。すなわち、バッテリー２８における四方の側壁のうち電子部品２７に最も近い側壁である後壁２８ｄには第１シールド膜５４および第１シールドクッション５６が設けられていない。電子部品２７に最も近い後壁２８ｄはアンテナ素子４０からは遠いため電磁ノイズの遮蔽効果が比較的低いため、第１シールド膜５４および第１シールドクッション５６を設けないことにより部品点数削減およびコスト削減が図られる。また、携帯用情報機器１０がノート型ＰＣである場合には、図２に示すように、バッテリー２８の後壁２８ｄは平面視でキーボード１２と重なる配置となりうるため、上カバー２２で第１シールドクッション５６を押圧させるのに適してなく、電波遮蔽部６０と導通を図ることも困難であり、第１シールドクッション５６の電磁ノイズの遮蔽効果が得られにくいためである。
【００５６】
図５は、変形例にかかる電子機器としての携帯用情報機器１０Ａの断面図である。携帯用情報機器１０Ａは、例えば図１の携帯用情報機器１０と同様の外観である。図５における第１シールド構造体６８Ａは上記の第１シールド構造体６８Ａに相当するものである。第１シールド構造体６８Ａはバッテリー２８の側壁に設けられた第１シールド膜５４と、上下一対の第１シールドクッション７０ａ，７０ｂを有する。第１シールド膜５４は上記のものと同様である。第１シールドクッション７０ａは、上記の第１シールドクッション５６と同様にバッテリー２８の天面２８ｅと上カバー２２の電波遮蔽部６０とによって挟持されている。第１シールドクッション７０ｂはバッテリー２８の底面２８ｆと下カバー２４の電波遮蔽部６４とによって挟持されている。このような第１シールドクッション７０ｂを設けると電波遮蔽部６４との間に隙間が生じにくく、遮蔽効果が高まる。
【００５７】
また図示を省略するが、設計条件により第１シールドクッション７０ａを省略してもよい。すなわち、上記の携帯用情報機器１０の場合とは逆に、第１シールドクッション７０ｂだけをバッテリー２８の底面２８ｆと下カバー２４との間に設けてもよい。
【００５８】
上述したように、携帯用情報機器１０，１０Ａでは、バッテリー２８におけるアンテナ素子４０と電子部品２７との間に介在する側壁２８ａ〜２８ｄの少なくとも一部に第１シールド膜５４を設け、さらにバッテリー２８における天面２８ｅおよび底面２８ｆの少なくとも一方で、第１シールド膜５４に沿って第１シールドクッション５６，７０ａ、７０ｂを備えている。このような第１シールド膜５４、第１シールドクッション５６，７０ａ、７０ｂにより第１シールド構造体６８，６８Ａが形成され、アンテナ３２に対する電磁ノイズの影響を抑制することができる。また、第１シールド構造体６８，６８Ａおよび第２シールド構造体６６は専用の遮蔽壁を設けることなく、バッテリー２８やスピーカーボックス３６の一部を利用して形成されていることからスペース効率がよい。
【００５９】
本発明は、上記した実施形態に限定されるものではなく、本発明の主旨を逸脱しない範囲で自由に変更できることは勿論である。
【符号の説明】
【００６０】
１０，１０Ａ  携帯用情報機器
１２  キーボード
１４  本体筐体（筐体）
２２  上カバー（筐体天板）
２４  下カバー（筐体底板）
２６  電子回路基板
２７  電子部品
２８  バッテリー
２８ａ  前壁（バッテリー側壁）
２８ｂ  左壁（バッテリー側壁）
２８ｃ  右壁（バッテリー側壁）
２８ｄ  後壁（バッテリー側壁）
２８ｅ  天面（バッテリー天面）
２８ｆ  底面（バッテリー底面）
３０，３０Ｌ，３０Ｒ  スピーカー
３２，３２Ｌ，３２Ｒ  アンテナ
３６  スピーカーボックス
３６ａ  底面（ボックス底面）
３６ｂ  内側面（ボックス側壁）
３６ｃ  第１端面（ボックス側壁）
３６ｄ  第２端面（ボックス側壁）
３８  スピーカーユニット
４０  アンテナ素子
４２  アンテナ回路
４４  第２シールドクッション
４６  第２シールド膜
５２  フレーム
５４  第１シールド膜
５６，７０ａ，７０ｂ  第１シールドクッション
５８，６２  電波透過部
６０，６４  電波遮蔽部
６２ａ，６４ａ  接続部
６６  第２シールド構造体
６８，６８Ａ  第１シールド構造体
【要約】
【課題】スペース効率がよく、しかもアンテナに対する電磁ノイズの影響を抑制する。
【解決手段】携帯用情報機器１０は、本体筐体１４と、本体筐体１４内に設けられたアンテナ素子４０、電子部品２７およびバッテリー２８と、バッテリー２８におけるアンテナ素子４０と電子部品２７との間に介在する側壁の少なくとも一部に設けられる第１シールド膜５４と、バッテリー２８における天面２８ｅおよび底面２８ｆの少なくとも一方で、第１シールド膜５４に沿って設けられる第１シールドクッション５６とを備える。第１シールドクッション５６はバッテリー２８と上カバー２２とによって弾性的に圧縮されて挟持され、アンテナ素子４０と電子部品２７とは第１シールド膜５４および第１シールドクッション５６によって電磁的に遮蔽されている。
【選択図】図４【図１】
0006890702.tif 000002
【図２】
0006890702.tif 000003
【図３】
0006890702.tif 000004
【図４】
0006890702.tif 000005
【図５】
0006890702.tif 000006